(57)【要約】  本発明は、少なくとも一つのマルチカラーＬＥＤ（７０）と、マルチカラーＬＥＤに近接して設けられ、ＬＥＤが照射されたときに照射する光ファイバケーブル（５０）と、マルチカラーＬＥＤが照射されるように制御する制御回路（３，８）と、スティックハウジングに取り付けられ、光ファイバケーブルの少なくとも一部分をその中に囲繞する保護カバー（６０）とを備えている光ファイバ照射グロースティック装置を提供する。本発明は更に、光源と、光源に近接して設けられ、光源が照射されたときに照射する光ファイバケーブルと、光源が照射されるように制御する制御回路と、光ファイバケーブルを囲繞する保護カバーとを備えている光ファイバ照射グロースティック装置を提供する。この光ファイバ照射グロースティックは、異なるさまざまな色に発光することができ、再使用可能であり、且つ再充電可能である。この光ファイバ照射グロースティックは更に、ＬＥＤ懐中電燈（１３）を含んでも良い。
2009514150.tif 000002
【特許請求の範囲】
【請求項１】
光ファイバ照射グロースティック装置であって、
少なくとも一つのマルチカラーＬＥＤと、
該マルチカラーＬＥＤに近接して設けられ、該ＬＥＤが照射されたときに照射する光ファイバケーブルと、
前記マルチカラーＬＥＤが照射されるように制御する制御回路と、
ハンドルと、
該ハンドルに取り付けられ、前記光ファイバケーブルの少なくとも一部分をその中に囲繞する保護カバーと、
他の光ファイバ照射グロースティックと連結するための穴及びペグと、
を備えている光ファイバ照射グロースティック装置。
【請求項２】
前記少なくとも一つのマルチカラーＬＥＤは、２つのマルチカラーＬＥＤであって、２つの該マルチカラーＬＥＤは、前記光ファイバケーブルの一端と他端にそれぞれ設けられている請求項１に記載の光ファイバ照射グロースティック装置。
【請求項３】
前記制御回路が、所定の範囲に亘って色のスムーズな変化を生成するために前記光ファイバケーブルを照射させるように前記マルチカラーＬＥＤを制御する請求項１に記載の光ファイバ照射グロースティック装置。
【請求項４】
前記制御回路が、複数色の任意の一色で連続的に前記光ファイバケーブルを照射させるように前記マルチカラーＬＥＤを制御する請求項１に記載の光ファイバ照射グロースティック装置。
【請求項５】
前記制御回路が、複数色の任意の一色で前記光ファイバケーブルを閃光させるように前記マルチカラーＬＥＤを制御する請求項１に記載の光ファイバ照射グロースティック装置。
【請求項６】
前記制御回路が、複数色の間で切り換えられながら前記光ファイバケーブルを閃光させるように前記マルチカラーＬＥＤを制御する請求項１に記載の光ファイバ照射グロースティック装置。
【請求項７】
前記制御回路は、前記ハンドル内に囲繞されている請求項１に記載の光ファイバ照射グロースティック装置。
【請求項８】
前記光ファイバケーブルを囲繞する柔らかいクッション部材を更に備え、該柔らかいクッション部材が少なくとも部分的に透明である請求項１に記載の光ファイバ照射グロースティック装置。
【請求項９】
前記ハンドルが、少なくとも１つのマルチカラーＬＥＤ及び前記制御回路を収容している請求項１に記載の光ファイバ照射グロースティック装置。
【請求項１０】
前記ハンドルは柔らかいものとされている請求項９に記載の光ファイバ照射グロースティック装置。
【請求項１１】
光ファイバ照射グロースティックに取り付けられたタブを更に備えており、該タブには前記装置を紐で吊るすための穴が形成されている請求項１に記載の光ファイバ照射グロースティック装置。
【請求項１２】
ＬＥＤ懐中電灯を更に備えている請求項１に記載の光ファイバ照射グロースティック装置。
【請求項１３】
光ファイバ照射グロースティック装置であって、
光源と、
該光源に近接して設けられ、該光源が照射されたときに照射する光ファイバケーブルと、
前記光源が照射されるように制御する制御回路と、
前記光ファイバケーブルを囲繞する保護カバーと、
ハンドルと、
他の光ファイバ照射グロースティックと連結するための穴及びペグと、
を備えている光ファイバ照射グロースティック装置。
【請求項１４】
光ファイバ照射グロースティック装置であって、
ハンドルと、
該ハンドルの中に位置する光源と、
前記ハンドルに取り付けられた光ファイバケーブルであって、前記光源が照射されたときに照射するように、その端部の少なくとも一つが前記光源に近接して配置された光ファイバケーブルと、
前記ハンドルに取り付けられ、前記光ファイバケーブルの少なくとも一部分をその中に囲繞する保護カバーと、
他の光ファイバ照射グロースティックと連結するための穴及びペグと、
を備えている光ファイバ照射グロースティック装置。
【請求項１５】
前記光源を変化させる制御回路を更に備えている請求項１４に記載の光ファイバ照射グロースティック装置。
【請求項１６】
前記光ファイバケーブルが、固体光学ゲルコアを含む請求項１４に記載の光ファイバ照射グロースティック装置。
【請求項１７】
前記光ファイバケーブルが複数の光ファイバストランドを含む請求項１４に記載の光ファイバ照射グロースティック装置。
【請求項１８】
前記光ファイバケーブルが、前記ハンドルの中に超音波溶接された端部を有する請求項１４に記載の光ファイバ照射グロースティック装置。
【発明の詳細な説明】
【技術分野】
【０００１】
（関連出願の相互参照）
このＰＣＴ出願は、参照によって本明細書に組み込まれる、２００５年１０月２６日に出願された同時係属の米国特許出願第１１／２５９，６７９号の継続出願である。
【０００２】
（発明の分野）
本発明は、グロースティックユニットの分野、特にＬＥＤ及び／または光ファイバ照射グロースティック（fiber optics illuminated glow stick）に関する。
【背景技術】
【０００３】
グロースティックは、発光性の化学物質で充填された小型のプラスチック管として広く知られている。化学物質ベースのグロースティックは、機械的に始動されると明るく発光し、通常、特に暗闇において直ちに視認できる単一の明るくて刺激的な色を発する。
【０００４】
化学物質ベースのグロースティックは、ユニット内での発光化学反応を開始することにより始動され、一般的には、柔軟性のあるプラスチック管を曲げることにより管内で脆くしてある分離部を分離させて、種々の化学物質を反応可能な状態としている。一旦、かかる化学反応が始まると、完全に化学反応が終了してしまうまで途中で止めることはできない。化学物質ベースのグロースティックは、通常、数時間のオーダーのある所定時間発光し続けるが、当該時間後には、グロースティックは消耗し、それ以上発光しなくなる。消耗した化学物質ベースのグロースティックを再充電することはできず、一般的には一度の使用で廃棄されている。
【０００５】
明るくて刺激的な色で発光可能なことにより、グロースティックは、特に夜に使用されるときには乗り物や歩行者のための安全装置として非常に有用である。更にまた、グロースティックは非常に娯楽性に富んでおり、通常、玩具やノベルティ製品として、あるいはこれらに組み込まれて使用されている。
【０００６】
有用で娯楽性に富んでいるものの、化学物質ベースのグロースティックは一度しか使用できず、使用後は廃棄されなければならない。化学物質ベースのグロースティックのような使い捨て製品は、過剰な廃棄物処理という増大するグローバルな問題を深刻化させている。更に、プラスチック及び液体化学物質から構成されていることにより、化学物質ベースのグロースティックは容易に環境に対する脅威であると考えられてしまう。また更に、化学物質ベースのグロースティックは繰り返しの始動・停止ができないため、交通標識及び自転車や自動車のような装置に組み込むには適していない。
【０００７】
また、種々の色のグロースティックが存在するものの、単一のグロースティックは一つの色しか発光できない。このため、有用性及び装置の娯楽的価値が制約されている。
【０００８】
電子発光ライト（electroluminescent lights）はグロースティックと類似している。電子発光ライトは通常、電子発光ガスが充填されたガラス管から作製される。電流が流れると、この電子発光ライトは明るく発光する。使用されるガスとガラス管表面にコーティングされる蛍光物質とを変化させることにより、電子発光ライトは多くの明るくて刺激的な色で発光するように製造され得る。例えば、ネオンライトは明るい赤色で発光する一方、蛍光灯は明るい白色で発光する。
【０００９】
電子発光ライトは始動・停止が可能であるので、発光する交通標識及び自動車等の装置に好適である。しかしながら電子発光ライトは、緊急時の使用や玩具には適していない。電子発光ライトは一般に、電子発光効果を励起させるための高電圧を必要とする。このような高電圧を発生させるために、一般に大きくて比較的重い出力変換器あるいは変圧器が必要とされる。これらの出力変換器を必要とするため、電子発光ライトは小型の携帯機器に組み込むには不適切なものである。更に、電子発光ライトは相対的に、高電圧であると共に電力消費も大きいので、小さなバッテリーで駆動させるには不適切なものである。また、電子発光ライトは一般にガラス管から構成されている。このため電子発光ライトには高電圧が必要であり、玩具に使用するのは危険である。
【００１０】
グロースティックを別の装置に組み込み、安全装置、玩具及び装飾的なアクセントとして用いることが可能である。例えばグロースティックを、夜間に警察官が交通整理を行ったり、事故車が通行車両に注意を促したりするのに使用することが可能であると共に、夜間に歩行者や自転車に乗っている人が路上で使用することが可能である。グロースティックは、特に暗い場所で子供達が玩具として使用することが可能である。グロースティックは、自動車やコンピュータ内に取り付けて目立つアクセントとすることも可能である。
【００１１】
化学物質で充填されたプラスチック管から製造される化学物質ベースのグロースティックは、一度の使用しかできず、使用後は廃棄されなければならないという欠点を有している。環境に優しくないことに加えて、グロースティックはしばしば毒性のある化学物質を用いて製造され、これにより子供が使用するには不適切であるとされている。更に、かかる化学物質ベースのグロースティックは、点灯／消灯させたり点滅させたりすることはできない。また更に、種々の色の化学物質ベースのグロースティックを製造することはできるが、単一のグロースティックは一つの固定した色でしか発光できないという制約がある。化学物質ベースのグロースティックのこういった欠点は、娯楽的価値及び安全装置としての有用性を低下させるものである。
【００１２】
電子発光ライトは一般に、ガラスから製造されると共に高い作動電圧を必要とする。その結果、このような装置は一般に、重くて割れやすい上、高電圧による電気ショックや割れたガラスにより負傷するといった危険性をもたらす。従って、これらの装置は、携帯機器への応用やバッテリー駆動に好適なものではない。更に、これらの装置は一般に、子供が使うには適していない。
【発明の開示】
【発明が解決しようとする課題】
【００１３】
上記の点に鑑み、本発明は、ＬＥＤ及び／または光ファイバ照射グロースティック装置を提供することを目的としている。このＬＥＤ照射グロースティック装置は、少なくとも一つのマルチカラーＬＥＤと、マルチカラーＬＥＤが作動したときに照射する光伝送管と、マルチカラーＬＥＤを多色照射するよう制御する制御回路と、少なくとも部分的に透明とされ、光伝送管を囲繞する柔らかいクッション部材（soft cushion）とを備えている。代替実施例によれば、この光ファイバ照射グロースティックは、光源と、光源に近接して設けられ、光源が照射されたときに照射する光ファイバケーブルと、光源が照射されるように制御する制御回路と、光ファイバケーブルを囲繞する保護カバーとを備えている。
【００１４】
また、本発明は、ＬＥＤ懐中電灯を更に備えているＬＥＤ及び／または光ファイバ照射グロースティック装置を提供することを他の目的としている。
【課題を解決するための手段】
【００１５】
一実施例によれば、本発明は、再使用可能、再充電可能、複数色を発光可能、多数のパターンで発光可能、停止可能且つ再起動可能で、ＬＥＤ懐中電灯としても機能するものであると共に、ポータブルで子供にも使用可能なＬＥＤ照射グロースティックを提供する。更に、本発明によるＬＥＤ照射グロースティックは、複数を互いに連結可能とされており、安全性と娯楽的価値を高めるものである。
【発明を実施するための最良の形態】
【００１６】
図１は、本発明の好適な実施形態によるＬＥＤ照射グロースティックであって、一部を破断して示すことにより、グロースティックの内部構造を視認可能としている。ハンドル１（またはスティックハウジング）は、ＡＢＳ（商標）樹脂のような硬質材料により構成され得るものであって、このハンドル１は、柔軟なゴムのような柔らかいグリップ材料で覆っても良いものである。ハンドル１（またはスティックハウジング）は、手の形態に適用するよう、人間工学的に形成することができる。この柔らかいグリップにより、操作性が向上される。更には、このグリップは、手を握った形状により適合するように人間工学的に形成することができる。柔らかいというハンドル１（またはスティックハウジング）の特性により、触感的にも面白いものとなり、装置の娯楽的価値を高めることができる。
【００１７】
少なくとも部分的に透明または半透明とされたクッション部材１１はハンドル１（またはスティックハウジング）に取り付けられ、これにより長方形状、正方形状あるいはＤ字状を為す一体構造を形成している。クッション部材１１は更に、直線形（例えばスパイク形）及び／または非直線形（例えばコロナ（corona）、波）に形成することができる。クッション部材１１もシリコーンのような柔らかい材料から形成され、これにより、クッション部材１１も光を伝送することができる一方で、装置の触感性を向上させることができる。上述のクッション部材１１は、柔らかいクッション部材とみなされる。クッション部材１１ないし柔らかいクッション部材内には、中実の光伝送管１０が設けられている。この光伝送管はＬＥＤ光源２及び９からの光を伝送することができるので、管１０の全体で光を照射することができる。管１０は、照射の際に光を伝送することのできる材料、例えばアクリル系の材料で形成することができる。
【００１８】
本発明の一実施例によれば、グロースティックは、２つのマルチカラーＬＥＤ２及び９を備えており、これらは中実の管１０の一端と他端にそれぞれ設けられている。マルチカラーＬＥＤの各々は、それぞれのＬＥＤ用プリント回路基板（ＰＣＢ）３及び８上に、赤色、青色及び緑色のＬＥＤ（ＲＧＢ  ＬＥＤ）を一緒に組み合わせた形で構成されている。各々のマルチカラーＬＥＤ２または９は、赤色、青色及び緑色の種々の組み合わせをオン・オフすることにより、複数の目立つ色を作り出すことができる。従って、各個々の赤色、青色及び緑色のＬＥＤを全てオフにしたり、そのうちの１つあるいは２つをオンすることができるので、２つのマルチカラーＬＥＤ２及び９は協働して更に多様な色を作り出すことができる。本発明の別の実施例によれば、２つよりも多いマルチカラーＬＥＤが使用される。マルチカラーＬＥＤは、例えば６つまで使用することができる。
【００１９】
マルチカラーＬＥＤ２及び９は、別々のＬＥＤ  ＰＣＢ回路基板３及び８上にそれぞれ取り付けられる。これらＬＥＤ  ＰＣＢ回路基板３及び８は、制御用ＰＣＢ６にそれぞれ電気的に接続されており、この回路基板６には、図示しない集積回路（ＩＣ）チップのような制御用の素子がワイヤで接続されている。これに代えて、ＬＥＤ２及び９と制御用の素子とを、同一のＰＣＢ上に取り付けて印刷した回路配線で接続するようにすることもできる。ＩＣチップにより、ＬＥＤ２及び９を制御して複数のパターンや効果を生成させることが可能であり、例えば、単一の静止色を生成したり、所定の範囲に亘って色をスムーズに変化させたり色の勾配を生じさせたり、単一の光を閃光（strobe）させたり、または一つの色から他の色へと切り換えたりさせることができる。
【００２０】
懐中電灯用のＬＥＤ１３をハンドル１（またはスティックハウジング）に組み込むことができる。懐中電灯用のＬＥＤ１３は、懐中電灯としての使用が望まれるときに、暗闇の中を見渡すための光を提供するために使用され得る。この懐中電灯用のＬＥＤ１３を１つまたは２つのマルチカラーＬＥＤとして一以上の光を発するように構成することもできる。例えば、懐中電灯用のＬＥＤ１３は白色の光を発するものとされる。
【００２１】
スイッチボタン４は、このボタンが押されたときの信号を図示しない制御用ＩＣが受け取ることができるよう、制御用ＰＣＢ６に電気的あるいは機械的に接続されている。このボタンは、複数のパターン及びモードと、電源オフあるいはスタンバイモードとの間を切り換えるために使用される。
【００２２】
グロースティックの機能を制御するために複数のボタン及びスイッチを使用することが可能であり、例えばバッテリー電源を切り離すためのスイッチ１４もこれに含まれる。このスイッチ１４を、複数の切り換えポジションを備えるトグルスイッチとすることができる。本発明の一実施例によれば、スイッチ１４を３ポジションのトグルスイッチとすることができ、この場合、アップポジションでは懐中電灯用のＬＥＤ１３を起動し、ダウンポジションでは光伝送管１０を起動し、センターポジションではバッテリー電源を切り離すことができる。
【００２３】
電源は図１に示されるように、ハンドル１（またはスティックハウジング）内に収容された一以上のバッテリー７から供給される。これらのバッテリーは、取り外し可能としても取り外し不能としても良く、また再充電可能としても再充電不能としても良い。本発明の一実施例によれば、取り外し不能で再充電可能な３つの単四電池が使用されている。他の実施例によれば、Ｎｉ−ＭＨパック等の、再充電可能なバッテリーパックが使用される。
【００２４】
ハンドル１（またはスティックハウジング）には、電源入力用ポート５が設けられている。この電源入力用ポート５は、バッテリー７を充電し、あるいは装置に直接的に電源を供給するために、低電圧の直流電圧を受け取ることができる。
【００２５】
本発明の一実施例によれば、タブ１２が装置から延在している。このタブ１２には、例えばユーザの首周りに吊るされる紐を通すことができる穴が形成されている。更に、本装置を紐に取り付けて、面白い光のパターンを生成するために転回させることも可能である。
【００２６】
図２Ａ、図２Ｂ及び図２Ｃは、図１に示されるＬＥＤ照射グロースティックを別な方向から見た図を示すものである。バッテリー７へのアクセスを容易にするために、ハンドル１（またはスティックハウジング）は、ケース上部セクション２１とケース下部セクション２２とを備えている。
【００２７】
図３Ａ及び図３Ｂは、図１に示されるＬＥＤ照射グロースティックの追加的な特徴を示す図である。図３Ａは、図１に示されるＬＥＤ照射グロースティックの第１の側部を示している。ハンドル１（またはスティックハウジング）には、上部穴３１と下部穴３２とが形成されている。図３Ｂは、図１に示されるＬＥＤ照射グロースティックの第２の側部を示している。ハンドル１（またはスティックハウジング）には、上部ペグ（peg）３３と下部ペグ３４とが形成されている。これらペグ３３及び３４と穴３１及び３２とは、ペグを穴に位置決めすることにより本発明による第１のＬＥＤ照射グロースティックを第２のＬＥＤ照射グロースティックに結合させることができるように構成されている。このようにして、より大きな、視覚的により目立つ装置を形成するために２つ以上のＬＥＤ照射グロースティックを結合させることができ、これにより、本装置の安全性及び娯楽的価値の双方を高めることができる。
【００２８】
図４は、他の実施例によるＬＥＤ照射グロースティックを示している。この実施例において小ケース４３は、図示しない制御用ＰＣＢ、図示しないバッテリー、ボタン４４、電源入力用ポート４５、及び一つ以上のマルチカラーＬＥＤ４１を内蔵している。透明または半透明とされたクッション部材４０は、長方形状、正方形状あるいはＤ字状を為す一体構造を形成している。小ケース４３はクッション部材４０内に取り付けられている。あるいはこれに代えて、小ケース４３がクッション部材４０とほぼ等しい径を有し、各端部でクッション部材が小ケース４３に取り付けられる。クッション部材４０は、シリコーンのような柔らかい材料から形成され、これにより、光を伝送することができる一方で、装置の触感性を向上させることができる。上述のクッション部材４０は、柔らかいクッション部材とみなされる。また、クッション部材４０ないし柔らかいクッション部材内には光伝送器４２が設けられている。この光伝送器は、光伝送器４２の本体全体を通じてＬＥＤ光源からの光を伝送することができるので、光伝送器の全体で光を照射することができる。この光伝送器４２は、照射の際に光を伝送することのできる材料、例えばアクリル系の材料で形成することができる。
【００２９】
図５から図７は、本発明の第２の好適な実施例による光ファイバ照射グロースティックを示す。この好適な実施例によれば、光伝送管１０が、図５に示された光ファイバケーブル５０等の光ファイバデバイスを含むことができる。光ファイバケーブル５０はさまざまな方法で形成することができる。一実施例によれば、光ファイバケーブル５０は、可撓性及び高い光透過性を保証するため、光学的に純粋なケースアクリルモノマー（例えばＭＭＡ）でできた固体光学ゲルコア（optical gel core）等の光学コアを有することができる。この光学コアは、テフロン（登録商標）等の透明な材料のシースで被覆することができる。光ファイバケーブル５０は、直径約７．０ｍｍ（偏差０．４ｍｍ）等、さまざまな寸法を有することができる。代替実施例によれば、光ファイバケーブル５０は、図示しない１本または複数本の光ファイバストランド（strand）からなることができる。単一のコアを形成するため、これらの光ファイバは、音波溶接等のさまざまな方法によって一体に保持することができる。
【００３０】
一実施例によれば、光ファイバケーブル５０を、ケーブル被覆材料を通して光を部分的にまたは完全に透過させることができるサイドライト（sidelight）型光ファイバケーブルとして形成することができる。光ファイバケーブル５０は、以下のようなさまざまな光学特性を有するように形成することができる。
・スペクトル範囲：約３７０ｎｍから約６９０ｎｍ  （すなわち可視波長範囲）、
・アクセプタンスアングル（Acceptance Angle）：約４５度、
・開口数：約０．６８、
・ガラス転移温度：約５３．８℃、及び／または
・減衰：メートルあたり３％未満
【００３１】
光ファイバケーブル５０は、グロースティック内にさまざまな方法で取り付けることができる。一実施例によれば、光ファイバケーブル５０は、ポリカーボネート等の丈夫なエンジニアリングプラスチック材料でできたハウジング内に超音波溶接された端部を有することができる。他の実施例によれば、その中に光ファイブケーブル５０が置かれた保護カバー６０を使用することができる。透明とすることができる保護カバーは、従来のさまざまな方法で形成し、ハンドル１  （またはスティックハウジング）上に取り付けることができる。
【００３２】
光ファイバケーブル５０の端部に、前述の一以上のＬＥＤ等の光源７０を直接に取り付けて、光効果を生み出すことができる。一実施例によれば、光ファイバケーブル５０のそれぞれの端部にスリーインワン（ＲＧＢ）のＳＭＴ−ＬＥＤを取り付けて、カラー光効果を生み出すことができる。他のＬＥＤ  （例えば量子ドットＬＥＤ）、冷陰極、エレクトロルミネセンス、蛍光等、他のさまざまなタイプの光源を使用して、光効果を生み出すことができることを理解されたい。一実施例によれば、光源を、図示しない保護カバー６０の中に囲繞することができる。
【００３３】
上述した内容は、単に例として示されたものであり、当業者であれば種々の改変及び適合を行うことが可能であることは理解されるべきである。従って、本発明の技術的範囲は、添付の特許請求の範囲によってのみ限定されるものである。
【図面の簡単な説明】
【００３４】
【図１】本発明の一実施例のＬＥＤグロースティックの斜視図を一部破断して示した図である。
【図２Ａ】図１のＬＥＤ照射グロースティックの立面図を示す図である。
【図２Ｂ】図１のＬＥＤ照射グロースティックの別の立面図を示す図である。
【図２Ｃ】図１のＬＥＤ照射グロースティックの斜視図を示す図である。
【図３Ａ】図１のＬＥＤ照射グロースティックの斜視図を示す図である。
【図３Ｂ】図１のＬＥＤ照射グロースティックの立面図を示す図である。
【図４】本発明の第２の実施例のＬＥＤグロースティックの斜視図を一部破断して示した図である。
【図５】本発明の他の実施例による光ファイバ照射グロースティックのファントム立面図（phantom elevational view）を示す図である。
【図６Ａ】図５の光ファイバ照射グロースティックの立面図を示す図である。
【図６Ｂ】図５の光ファイバ照射グロースティックの立面図を示す図である。
【図６Ｃ】図５の光ファイバ照射グロースティックの立面図を示す図である。
【図６Ｄ】図５の光ファイバ照射グロースティックの立面図を示す図である。
【図６Ｅ】図５の光ファイバ照射グロースティックの立面図を示す図である。
【図６Ｆ】図５の光ファイバ照射グロースティックの立面図を示す図である。
【図７Ａ】図５の光ファイバ照射グロースティックの斜視図を示す図である。
【図７Ｂ】図５の光ファイバ照射グロースティックの斜視図を示す図である。
【符号の説明】
【００３５】
１  ハンドル（スティックハウジング）
２  ＬＥＤ光源
３  ＬＥＤ用プリント回路基板
４  スイッチボタン
５  電源入力用ポート
６  制御用プリント回路基板
７  バッテリー
８  ＬＥＤ用プリント回路基板
９  ＬＥＤ光源
１０  光伝送管
１１  クッション部材
１２  タブ
１３  懐中電灯用ＬＥＤ
１４  スイッチ
２１  ケース上部セクション
２２  ケース下部セクション
３１  上部穴
３２  下部穴
３３  上部ペグ
３４  下部ペグ
４０  クッション部材
４１  マルチカラーＬＥＤ
４２  光伝送器
４３  小ケース
４４  ボタン
４５  電源入力用ポート
５０  光ファイバケーブル
６０  保護カバー
７０  光源
【図１】
2009514150.tif 000003
【図２Ａ】
2009514150.tif 000004
【図２Ｂ】
2009514150.tif 000005
【図２Ｃ】
2009514150.tif 000006
【図３Ａ】
2009514150.tif 000007
【図３Ｂ】
2009514150.tif 000008
【図４】
2009514150.tif 000009
【図５】
2009514150.tif 000010
【図６Ａ】
2009514150.tif 000011
【図６Ｂ】
2009514150.tif 000012
【図６Ｃ】
2009514150.tif 000013
【図６Ｄ】
2009514150.tif 000014
【図６Ｅ】
2009514150.tif 000015
【図６Ｆ】
2009514150.tif 000016
【図７Ａ】
2009514150.tif 000017
【図７Ｂ】
2009514150.tif 000018
【国際調査報告】
2009514150.tif 000019
2009514150.tif 000020
2009514150.tif 000021
2009514150.tif 000022
2009514150.tif 000023